【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
基地局におけるワイヤレス通信の方法であって、
アンライセンススペクトル上で動作する１つまたは複数の無線アクセス技術（ＲＡＴ）についてのワイヤレス通信に関する情報を受信することと、
前記アンライセンススペクトル上でのロングタームエボリューション（ＬＴＥ）ベースの通信を備える、アップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは前記受信された情報に基づいて決定される、
前記少なくとも１つのＣＣＡパラメータのインジケーションを前記ＵＥに送信することと、
を備える、方法。
【請求項２】
前記情報を受信することは、少なくとも１つのＵＥから報告を受信することを含む、または、
前記情報を受信することは、前記１つまたは複数のＲＡＴについてのトラフィックを観察することを備える、請求項１に記載の方法。
【請求項３】
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、請求項１に記載の方法、または、
前記少なくとも１つのＣＣＡパラメータは、複数のＵＥにブロードキャストされる、請求項１に記載の方法。
【請求項４】
前記少なくとも１つのＣＣＡパラメータは、スロットごとに前記ＵＥによって使用されることになるＣＣＡしきい値を備える、または、
前記少なくとも１つのＣＣＡパラメータは、チャネルアクセスまたはバックオフスキームのうちの１つのインジケーションを備える、または、
前記少なくとも１つのＣＣＡパラメータは、ＣＣＡのためのスロットの少なくとも一部についての持続時間を備える、または、
前記少なくとも１つのＣＣＡパラメータは、予約信号タイプを尊重するかどうかのインジケーションを備え、前記予約信号タイプは、
Ｗｉ−Ｆｉ予約信号、
前記ＵＥ展開に関連する予約信号、または、
ライセンス支援アクセス展開に関連する予約信号、
のうちの少なくとも１つである、または、
前記少なくとも１つのＣＣＡパラメータは、Ｗｉ−Ｆｉチャネル使用ビーコン信号（Ｗ−ＣＵＢＳ）を送信するかどうかのインジケーションを備える、または、
前記少なくとも１つのＣＣＡパラメータは、競合ベースのアクセスが前記ＵＬ送信について可能にされているかどうかを示し、ここにおいて、前記競合ベースのアクセスが可能にされているとき、前記ＵＥは、前記ｅＮＢからのＵＬグラントなしに、前記チャネルを求めて競合することができる、または、
前記少なくとも１つのＣＣＡパラメータは、アップリンクＣＣＡ免除送信（ＵＬ−ＣＥＴ）が可能にされているかどうかを示す、請求項１に記載の方法。
【請求項５】
基地局におけるワイヤレス通信のための装置であって、
アンライセンススペクトル上で動作する１つまたは複数の無線アクセス技術（ＲＡＴ）についてのワイヤレス通信に関する情報を受信するための手段と、
前記アンライセンススペクトル上でのロングタームエボリューション（ＬＴＥ）ベースの通信を備える、アップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定するための手段と、ここにおいて、前記少なくとも１つのＣＣＡパラメータは前記受信された情報に基づいて決定される、
前記少なくとも１つのＣＣＡパラメータのインジケーションを前記ＵＥに送信するための手段と、
を備える、装置。
【請求項６】
前記情報を受信することは、少なくとも１つのＵＥから報告を受信すること、または前記１つまたは複数のＲＡＴについてのトラフィックを観察することのうちの少なくとも１つを含む、請求項５に記載の装置、または、
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、請求項５に記載の装置、または、
前記少なくとも１つのＣＣＡパラメータは、複数のＵＥにブロードキャストされる、請求項１７に記載の装置。
【請求項７】
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、請求項５に記載の装置。
【請求項８】
ユーザ装置（ＵＥ）におけるワイヤレス通信の方法であって、
アンライセンススペクトル上で動作する１つまたは複数の無線アクセス技術（ＲＡＴ）についてのワイヤレス通信に関する情報を基地局に送信することと、
前記アンライセンススペクトル上でのロングタームエボリューション（ＬＴＥ）ベースの通信を備える、アップリンク（ＵＬ）送信通信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは前記基地局に送信された前記情報に基づく、
ＵＬ送信のための前記ＣＣＡプロシージャを実施する際に前記少なくとも１つのＣＣＡパラメータを使用するかどうかを決定することと、
前記ＣＣＡプロシージャを実施することと、
を備える、方法。
【請求項９】
前記ＣＣＡプロシージャを実施することは、前記少なくとも１つの示されたＣＣＡパラメータを使用して、ＵＬ送信のための前記ＣＣＡプロシージャを実施することを含む、請求項８に記載の方法、または、
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、請求項８に記載の方法、または、
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、請求項８に記載の方法。
【請求項１０】
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、請求項８に記載の方法。
【請求項１１】
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信することをさらに備える、請求項８に記載の方法。
【請求項１２】
ユーザ装置（ＵＥ）におけるワイヤレス通信ための装置であって、ここにおいて、前記装置は、アンライセンススペクトル上で動作する１つまたは複数の無線アクセス技術（ＲＡＴ）についてのワイヤレス通信に関する情報を基地局に送信するように適合される、
前記アンライセンススペクトル上でのロングタームエボリューション（ＬＴＥ）ベースの通信を備える、アップリンク（ＵＬ）送信通信のためのＣＣＡプロシージャを実施する際に使用するための、少なくとも１つのクリアチャネルアセスメント（ＣＣＡ）パラメータのインジケーションを受信するための手段と、ここにおいて、前記少なくとも１つのＣＣＡパラメータは前記基地局に送信された前記情報に基づく、
ＵＬ送信のための前記ＣＣＡプロシージャを実施する際に前記少なくとも１つのＣＣＡパラメータを使用するかどうかを決定するための手段と、
前記ＣＣＡプロシージャを実施するための手段と、
を備える、装置。
【請求項１３】
前記決定するための手段が前記少なくとも１つのＣＣＡパラメータを使用しないと決定するとき、前記ＣＣＡプロシージャを前記実施するための手段は、前記少なくとも１つの示されたＣＣＡパラメータとは異なるパラメータを使用する、請求項１２に記載の装置、または、
前記受信するための手段は、アップリンク（ＵＬ）送信のためのＣＣＡプロシージャを実施する際に使用するための複数のパラメータについてのインジケーションを受信し、ここにおいて、前記ＣＣＡプロシージャを前記実施するための手段は、前記複数の示されたパラメータの一部のみを使用する、請求項１２に記載の装置。
【請求項１４】
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、請求項１２に記載の装置、または、
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するための手段をさらに備える、請求項１２に記載の装置。
【請求項１５】
プロセッサで実行されると、請求項１−４または８−１１のいずれかに記載のステップを実施する、ワイヤレス通信のためのコンピュータ実行可能コードを備える、コンピュータプログラム。
【手続補正２】
【補正対象書類名】明細書
【補正対象項目名】０１２８
【補正方法】変更
【補正の内容】
【０１２８】
[00142]  本開示の先の説明は、当業者が本開示を製造または使用することを可能にするために提供される。本開示への様々な修正は、当業者にとって容易に明らかとなり、ここに定義された一般的な原理は、本開示の範囲または精神から逸脱することなく、他のバリエーションにも適用され得る。したがって、本開示は、ここに説明された例および設計に限定されるようには意図されておらず、ここに開示された原理および新規な特徴と一致する最も広い範囲を与えられるべきである。
以下に、本願出願の当初の特許請求の範囲に記載された発明を付記する。
［Ｃ１］
ワイヤレス通信の方法であって、
１つまたは複数の無線アクセス技術（ＲＡＴ）についてのワイヤレス通信に関する情報を受信することと、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定することと、
前記少なくとも１つのＣＣＡパラメータのインジケーションを前記ＵＥに送信することと、
を備える、方法。
［Ｃ２］
前記情報を受信することは、少なくとも１つのＵＥから報告を受信することを含む、Ｃ１に記載の方法。
［Ｃ３］
前記情報を受信することは、前記１つまたは複数のＲＡＴについてのトラフィックを観察することを備える、Ｃ１に記載の方法。
［Ｃ４］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ１に記載の方法。
［Ｃ５］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ４に記載の方法。
［Ｃ６］
前記少なくとも１つのＣＣＡパラメータは、複数のＵＥにブロードキャストされる、Ｃ１に記載の方法。
［Ｃ７］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ６に記載の方法。
［Ｃ８］
前記少なくとも１つのＣＣＡパラメータは、スロットごとに前記ＵＥによって使用されることになるＣＣＡしきい値を備える、Ｃ１に記載の方法。
［Ｃ９］
前記少なくとも１つのＣＣＡパラメータは、チャネルアクセスまたはバックオフスキームのうちの１つのインジケーションを備える、Ｃ１に記載の方法。
［Ｃ１０］
前記少なくとも１つのＣＣＡパラメータは、前記チャネルアクセススキームのインジケーションを備え、示されるチャネルアクセススキームは、ＵＬチャネルごとに異なる、Ｃ７に記載の方法。
［Ｃ１１］
前記少なくとも１つのＣＣＡパラメータは、前記ＣＣＡのためのスロットの少なくとも一部についての持続時間を備える、Ｃ１に記載の方法。
［Ｃ１２］
前記少なくとも１つのＣＣＡパラメータは、予約信号タイプを尊重するかどうかのインジケーションを備え、前記予約信号タイプは、
Ｗｉ−Ｆｉ予約信号、
前記ＵＥ展開に関連する予約信号、または、
別のライセンス支援アクセス展開に関連する予約信号、
のうちの少なくとも１つである、Ｃ１に記載の方法。
［Ｃ１３］
前記インジケーションは、最大送信電力または送信電力の変化を備える、Ｃ１に記載の方法。
［Ｃ１４］
前記少なくとも１つのＣＣＡパラメータは、Ｗｉ−Ｆｉチャネル使用ビーコン信号（Ｗ−ＣＵＢＳ）を送信するかどうかのインジケーションを備える、Ｃ１に記載の方法。
［Ｃ１５］
前記少なくとも１つのＣＣＡパラメータは、競合ベースのアクセスが前記ＵＬ送信について可能にされているかどうかを示し、ここにおいて、前記競合ベースのアクセスが可能にされているとき、前記ＵＥは、前記ｅＮＢからのＵＬグラントなしに、前記チャネルを求めて競合することができる、Ｃ１に記載の方法。
［Ｃ１６］
前記少なくとも１つのＣＣＡパラメータは、アップリンクＣＣＡ免除送信（ＵＬ−ＣＥＴ）が可能にされているかどうかを示す、Ｃ１に記載の方法。
［Ｃ１７］
ワイヤレス通信のための装置であって、
１つまたは複数の無線アクセス技術（ＲＡＴ）についてのワイヤレス通信に関する情報を受信するための手段と、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定するための手段と、
前記少なくとも１つのＣＣＡパラメータのインジケーションを前記ＵＥに送信するための手段と、
を備える、装置。
［Ｃ１８］
前記情報を受信することは、少なくとも１つのＵＥから報告を受信すること、または前記１つまたは複数のＲＡＴについてのトラフィックを観察することのうちの少なくとも１つを含む、Ｃ１７に記載の装置。
［Ｃ１９］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ１７に記載の装置。
［Ｃ２０］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ１９に記載の装置。
［Ｃ２１］
前記少なくとも１つのＣＣＡパラメータは、複数のＵＥにブロードキャストされる、Ｃ１７に記載の装置。
［Ｃ２２］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ２１に記載の装置。
［Ｃ２３］
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、Ｃ１７に記載の装置。
［Ｃ２４］
ワイヤレス通信のための装置であって、
メモリと、
前記メモリに結合された少なくとも１つのプロセッサと、
を備え、前記少なくとも１つのプロセッサは、
１つまたは複数の無線アクセス技術（ＲＡＴ）についてのワイヤレス通信に関する情報を受信することと、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定することと、
前記少なくとも１つのＣＣＡパラメータのインジケーションを前記ＵＥに送信することと、
を行うように構成される、
装置。
［Ｃ２５］
前記情報を受信することは、少なくとも１つのＵＥから報告を受信すること、または前記１つまたは複数のＲＡＴについてのトラフィックを観察することのうちの少なくとも１つを含む、Ｃ２４に記載の装置。
［Ｃ２６］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ２４に記載の装置。
［Ｃ２７］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ２６に記載の装置。
［Ｃ２８］
前記少なくとも１つのＣＣＡパラメータは、複数のＵＥにブロードキャストされる、Ｃ２４に記載の装置。
［Ｃ２９］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ２８に記載の装置。
［Ｃ３０］
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、Ｃ２４に記載の装置。
［Ｃ３１］
コンピュータ実行可能コードを記憶するコンピュータ読み取り可能な媒体であって、
１つまたは複数の無線アクセス技術（ＲＡＴ）についてのワイヤレス通信に関する情報を受信することと、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定することと、
前記少なくとも１つのＣＣＡパラメータのインジケーションを前記ＵＥに送信することと、
を行うためのコードを備える、
コンピュータ読み取り可能な媒体。
［Ｃ３２］
前記情報を受信することは、少なくとも１つのＵＥから報告を受信すること、または前記１つまたは複数のＲＡＴについてのトラフィックを観察することのうちの少なくとも１つを含む、Ｃ３１に記載のコンピュータ読み取り可能な媒体。
［Ｃ３３］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ３１に記載のコンピュータ読み取り可能な媒体。
［Ｃ３４］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ３３に記載のコンピュータ読み取り可能な媒体。
［Ｃ３５］
前記少なくとも１つのＣＣＡパラメータは、複数のＵＥにブロードキャストされる、Ｃ３１に記載のコンピュータ読み取り可能な媒体。
［Ｃ３６］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ３５に記載のコンピュータ読み取り可能な媒体。
［Ｃ３７］
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、Ｃ３１に記載のコンピュータ読み取り可能な媒体。
［Ｃ３８］
ユーザ装置（ＵＥ）におけるワイヤレス通信の方法であって、
アップリンク（ＵＬ）送信のためのＣＣＡプロシージャを実施する際に使用するための、少なくとも１つのクリアチャネルアセスメント（ＣＣＡ）パラメータのインジケーションを受信することと、
ＵＬ送信のための前記ＣＣＡプロシージャを実施する際に前記少なくとも１つのＣＣＡパラメータを使用するかどうかを決定することと、
前記ＣＣＡプロシージャを実施することと、
を備える、方法。
［Ｃ３９］
前記ＣＣＡプロシージャを実施することは、前記少なくとも１つの示されたＣＣＡパラメータを使用して、ＵＬ送信のための前記ＣＣＡプロシージャを実施することを含む、Ｃ３８に記載の方法。
［Ｃ４０］
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、Ｃ３８に記載の方法。
［Ｃ４１］
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、Ｃ３８に記載の方法。
［Ｃ４２］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ３８に記載の方法。
［Ｃ４３］
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信することをさらに備える、Ｃ３８に記載の方法。
［Ｃ４４］
ユーザ装置（ＵＥ）におけるワイヤレス通信ための装置であって、
アップリンク（ＵＬ）送信のためのＣＣＡプロシージャを実施する際に使用するための、少なくとも１つのクリアチャネルアセスメント（ＣＣＡ）パラメータのインジケーションを受信するための手段と、
ＵＬ送信のための前記ＣＣＡプロシージャを実施する際に前記少なくとも１つのＣＣＡパラメータを使用するかどうかを決定するための手段と、
前記ＣＣＡプロシージャを実施するための手段と、
を備える、装置。
［Ｃ４５］
前記決定するための手段が前記少なくとも１つのＣＣＡパラメータを使用しないと決定するとき、前記ＣＣＡプロシージャを前記実施するための手段は、前記少なくとも１つの示されたＣＣＡパラメータとは異なるパラメータを使用する、Ｃ４４に記載の装置。
［Ｃ４６］
前記受信するための手段は、アップリンク（ＵＬ）送信のためのＣＣＡプロシージャを実施する際に使用するための複数のパラメータについてのインジケーションを受信し、ここにおいて、前記ＣＣＡプロシージャを前記実施するための手段は、前記複数の示されたパラメータの一部のみを使用する、Ｃ４４に記載の装置。
［Ｃ４７］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ４４に記載の装置。
［Ｃ４８］
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するための手段をさらに備える、Ｃ４４に記載の装置。
［Ｃ４９］
ユーザ装置（ＵＥ）におけるワイヤレス通信ための装置であって、
メモリと、
前記メモリに結合された少なくとも１つのプロセッサと、
を備え、前記少なくとも１つのプロセッサは、
アップリンク（ＵＬ）送信のためのＣＣＡプロシージャを実施する際に使用するための、少なくとも１つのクリアチャネルアセスメント（ＣＣＡ）パラメータのインジケーションを受信することと、
ＵＬ送信のための前記ＣＣＡプロシージャを実施する際に前記少なくとも１つのＣＣＡパラメータを使用するかどうかを決定することと、
前記ＣＣＡプロシージャを実施することと、
を行うように構成される、装置。
［Ｃ５０］
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、Ｃ４９に記載の装置。
［Ｃ５１］
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、Ｃ４９に記載の装置。
［Ｃ５２］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ４９に記載の装置。
［Ｃ５３］
前記少なくとも１つのプロセッサは、
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するようにさらに構成される、Ｃ４９に記載の装置。
［Ｃ５４］
ユーザ装置（ＵＥ）におけるワイヤレス通信のためのコンピュータ実行可能コードを記憶するコンピュータ読み取り可能な媒体であって、
アップリンク（ＵＬ）送信のためのＣＣＡプロシージャを実施する際に使用するための、少なくとも１つのクリアチャネルアセスメント（ＣＣＡ）パラメータのインジケーションを受信することと、
ＵＬ送信のための前記ＣＣＡプロシージャを実施する際に前記少なくとも１つのＣＣＡパラメータを使用するかどうかを決定することと、
前記ＣＣＡプロシージャを実施することと、
を行うためのコードを備える、コンピュータ読み取り可能な媒体。
［Ｃ５５］
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、Ｃ５４に記載のコンピュータ読み取り可能な媒体。
［Ｃ５６］
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、Ｃ５４に記載のコンピュータ読み取り可能な媒体。
［Ｃ５７］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ５４に記載のコンピュータ読み取り可能な媒体。
［Ｃ５８］
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するためのコードをさらに備える、Ｃ５４に記載のコンピュータ読み取り可能な媒体。